(57)【特許請求の範囲】
【請求項１】
絶縁体からなる基板の両面に導電体からなる電極板が積層されるとともに、複数箇所に取付け孔が貫通した状態で設けられ、かつ前記各電極板が電源に電気的に接続される取付け板と、
前記取付け板の一方の電極板側に設けられ、電気器具が取り付けられる電気器具取付け部と、該電気器具取付け部に一体に設けられるとともに、前記取付け孔内に挿脱可能な１つ又は２つ以上のピン部と、該ピン部を前記取付け孔内に挿入された状態に固定するとともに、一部が他方の前記電極板の表面に係止される固定手段と、該固定手段の他方の前記電極板との対向面に設けられるとともに、前記ピン部が前記取付け孔内に挿入された状態で他方の前記電極板の表面に電気的に接続される第１給電部と、前記電気器具取付け部の一方の前記電極板との対向面に設けられるとともに、前記ピン部が前記取付け孔に挿入された状態で一方の前記電極板の表面に電気的に接続される第２給電部とからなるコネクタを備え、
前記両給電部に前記電気器具が電気的に接続される電気器具取付け装置であって、
前記固定手段は、前記ピン部及び前記電気器具取付け部を貫通して設けられる回転可能なロッドと、該ロッドと一体に回転することによって前記ピン部の上端面に重合した状態と、前記ピン部の外径側にせり出して前記取付け板の他方の電極板の表面に係止する状態とを取り得る固定部と、該ロッドを回転させる操作部とを備え、
前記固定部の他方の前記電極板との対向面、及び前記操作部の前記電気器具取付け部との対向面に前記第１給電部が設けられ、両第１給電部間が導電体からなる前記ロッドを介して電気的に接続されていることを特徴とする電気器具取付け装置。
【請求項２】
絶縁体からなる基板の両面に導電体からなる電極板が積層されるとともに、複数箇所に取付け孔が貫通した状態で設けられ、かつ前記各電極板が電源に電気的に接続される取付け板と、
前記取付け板の一方の電極板側に設けられ、電気器具が取り付けられる電気器具取付け部と、該電気器具取付け部に一体に設けられるとともに、前記取付け孔内に挿脱可能な１つ又は２つ以上のピン部と、該ピン部を前記取付け孔内に挿入された状態に固定するとともに、一部が他方の前記電極板の表面に係止される固定手段と、該固定手段の他方の前記電極板との対向面に設けられるとともに、前記ピン部が前記取付け孔内に挿入された状態で他方の前記電極板の表面に電気的に接続される第１給電部と、前記電気器具取付け部の一方の前記電極板との対向面に設けられるとともに、前記ピン部が前記取付け孔に挿入された状態で一方の前記電極板の表面に電気的に接続される第２給電部とからなるコネクタを備え、
前記両給電部に前記電気器具が電気的に接続される電気器具取付け装置であって、
前記電気器具取付け部の前記ピン部の周囲の一方の前記電極板との対向面には、前記ピン部を包囲するように溝が設けられ、該溝内に前記第２給電部が設けられていることを特徴とする電気器具取付け装置。
【請求項３】
前記第２給電部は、一方の前記電極板の表面方向に弾性変形可能に構成され、該弾性力により前記第２給電部が一方の前記電極板の表面に圧接されることを特徴とする請求項２に記載の電気器具取り付け装置。
【請求項４】
前記コネクタのピン部を２つ以上とする場合に、何れか一のピン部と他の何れか一のピン部との大きさ、又は形状を異ならせるとともに、それに対応させた大きさ、又は形状の取付け孔を前記取付け板に設けることを特徴とする請求項１から３の何れかに記載の電気器具取付け装置。
【請求項５】
前記取付け板は、空間内の天井部、壁部、又は床部に設けられていることを特徴とする請求項１から４の何れかに記載の電気器具取付け装置。
【発明の詳細な説明】
【技術分野】
【０００１】
本発明は、電気器具取付け装置に関し、特に、空間（建物、自動車等の空間）内の天井部、壁部、床部等に照明器具等の電気器具を着脱自在に取り付けるのに有効な電気器具取付け装置に関する。
【背景技術】
【０００２】
一般に、建物の例えば天井部に照明器具を取り付ける場合には、予め、天井部のパネルの所定の位置に配線用孔を設け、この配線用孔から天井裏に敷設されている電線を引き出し、この引き出した電線に照明器具を電気的に接続することで、照明器具を取り付けている。
【０００３】
このような照明器具は、建物内のレイアウトの変更等によって他の位置に移動させる場合に、新たにパネルに配線用孔を設け、この配線用孔から天井裏に敷設されている電線を引き出し、この引き出した電線に取り外した照明器具を電気的に接続している。
【０００４】
このため、パネルに新たに配線用孔を設ける作業や、新たに設けた配線用孔から天井裏の電線を引き出す作業等の作業が必要になり、それらの作業に非常に手間かかかることになる。また、照明器具を取り外した後のパネルに配線用孔が残って美観を損なうことになるため、元の配線用孔を塞ぐ作業も必要になり、その作業にも手間がかかることになる。
【０００５】
一方、特許文献１には、基板の両面に印刷又はエッチングによりプリント配線して電路を形成し、電路の適宜な箇所にコネクタピンを挿入するピン挿入孔を形成し、このピン挿入孔内にコネクタピンを電気的に接続するように構成した発明が開示されており、このような技術を照明器具の天井部等への着脱に適用することも考えられる。
【特許文献１】実開昭５６−８６７７３号公報
【発明の開示】
【発明が解決しようとする課題】
【０００６】
しかし、特許文献１に開示されている技術では、コネクタピンを電路に電気的に接続する際にハンダ付け作業が必要になるとともに、照明器具を天井部等に支持するための機構が必要になるため、この技術をそのまま天井部等への照明器具の着脱に適用することはできない。
【０００７】
本発明は、上記のような従来の問題に鑑みなされたものであって、照明器具等の電気器具の着脱を容易に行うことができるとともに、照明器具等の電気器具を他の位置に移動させても美観を損なうようなことがない、電気器具取付け装置を提供することを目的とする。
【課題を解決するための手段】
【０００８】
上記のような課題を解決するために、本発明は、以下のような手段を採用している。
すなわち、請求項１に係る発明は、絶縁体からなる基板の両面に導電体からなる電極板が積層されるとともに、複数箇所に取付け孔が貫通した状態で設けられ、かつ前記各電極板が電源に電気的に接続される取付け板と、前記取付け板の一方の電極板側に設けられ、電気器具が取り付けられる電気器具取付け部と、該電気器具取付け部に一体に設けられるとともに、前記取付け孔内に挿脱可能な１つ又は２つ以上のピン部と、該ピン部を前記取付け孔内に挿入された状態に固定するとともに、一部が他方の前記電極板の表面に係止される固定手段と、該固定手段の他方の前記電極板との対向面に設けられるとともに、前記ピン部が前記取付け孔内に挿入された状態で他方の前記電極板の表面に電気的に接続される第１給電部と、前記電気器具取付け部の一方の前記電極板との対向面に設けられるとともに、前記ピン部が前記取付け孔に挿入された状態で一方の前記電極板の表面に電気的に接続される第２給電部とからなるコネクタを備え、前記両給電部に前記電気器具が電気的に接続される電気器具取付け装置であって、前記電気器具取付け部の前記ピン部の周囲の一方の前記電極板との対向面には、前記ピン部を包囲するように溝が設けられ、該溝内に前記第２給電部が設けられていることを特徴とする。
【０００９】
本発明による電気器具取付け装置によれば、取付け板の取付け孔内にコネクタのピン部を挿入し、固定手段によりピン部が取付け孔内に挿入された状態に固定することにより、固定手段側の第１給電部が他方の電極板の表面に電気的に接続され、電気器具取付け部側の第２給電部が一方の電極板の表面に電気的に接続されることになる。そして、電気器具取付け部に取り付けられる電気器具をコネクタの両給電部に電気的に接続することにより、電源から両電極板及び両給電部を介して電気器具に電力が供給され、電気器具が作動することになる。
この場合、第１給電部と第２給電部との間に例えば直流電源を供給する場合に、極性を間違えることなく各ピン部を取付け板の取り付け孔内に挿入することができる。
また、コネクタのピン部を取付け板の取付け孔内に挿入し、固定手段によりピン部が取付け孔内に挿入された状態に固定することで、コネクタを介して電気器具を取付け板に取り付けることができるので、電気器具の取付け作業を容易にすることができる。
さらに、電気器具を他の位置に移動させる場合には、固定手段によるピン部の固定状態を解除し、ピン部を取付け孔から離脱させることによりコネクタを取付け板から取り外し、この取り外したコネクタを取付け板の他の位置に移動させ、その位置でコネクタのピン部を取付け孔内に挿入し、固定手段によって取付け孔内にピン部を固定するだけでよいので、電気器具の移動を容易に行うことができる。
さらに、電気器具を他の位置に移動させても、電気器具を取り除いた後の取付け孔が美観を損なうようなこともない。
【００１１】
また、ピン部を取付け板の取付け孔内に挿入し、この状態で固定手段の操作部を操作してロッドと一体に固定部を回転させ、固定部を他方の電極板の表面に係止させることにより、ピン部が取付け孔内に挿入された状態に固定され、コネクタが取付け板に固定されることになる。この場合、固定部側の第１給電部が他方の電極板の表面に電気的に接続され、この固定部側の第１給電部がロッドを介し操作部側の第１給電部に電気的に接続されることになる。
さらに、固定手段の操作部を操作して、ロッドと一体に固定部を回転させて固定部を他方の電極板の表面から離脱させ、ピン部を取付け孔から離脱させてコネクタを取付け板から取り外すことにより、第１給電部の他方の電極板に対する電気的な接続状態が解除されることになる。
【００１２】
請求項２に係る発明は、絶縁体からなる基板の両面に導電体からなる電極板が積層されるとともに、複数箇所に取付け孔が貫通した状態で設けられ、かつ前記各電極板が電源に電気的に接続される取付け板と、前記取付け板の一方の電極板側に設けられ、電気器具が取り付けられる電気器具取付け部と、該電気器具取付け部に一体に設けられるとともに、前記取付け孔内に挿脱可能な１つ又は２つ以上のピン部と、該ピン部を前記取付け孔内に挿入された状態に固定するとともに、一部が他方の前記電極板の表面に係止される固定手段と、該固定手段の他方の前記電極板との対向面に設けられるとともに、前記ピン部が前記取付け孔内に挿入された状態で他方の前記電極板の表面に電気的に接続される第１給電部と、前記電気器具取付け部の一方の前記電極板との対向面に設けられるとともに、前記ピン部が前記取付け孔に挿入された状態で一方の前記電極板の表面に電気的に接続される第２給電部とからなるコネクタを備え、前記両給電部に前記電気器具が電気的に接続される電気器具取付け装置であって、前記電気器具取付け部の前記ピン部の周囲の一方の前記電極板との対向面には、前記ピン部を包囲するように溝が設けられ、該溝内に前記第２給電部が設けられていることを特徴とする。
【００１３】
本発明による電気器具取付け装置によれば、ピン部を取付け板の取付け孔内に挿入することにより、電気器具取付け部のピン部の周囲の溝内に設けられている第２給電部が一方の電極板の表面に電気的に接続されることになる。
【００１４】
請求項３に係る発明は、請求項２に記載の電気器具取り付け装置であって、前記第２給電部は、一方の前記電極板の表面方向に弾性変形可能に構成され、該弾性力により前記第２給電部が一方の前記電極板の表面に圧接されることを特徴とする。
【００１５】
本発明による電気器具取り付け装置によれば、第２給電部が一方の電極板の表面方向に弾性変形することにより、その弾性力によって第２給電部が一方の電極板の表面に圧接され、第２給電部が一方の電極板の表面に電気的に接続されることになる。
【００１６】
請求項４に係る発明は、請求項１から３の何れかに記載の電気器具取付け装置であって、前記コネクタのピン部を２つ以上とする場合に、何れか一のピン部と他の何れか一のピン部との大きさ、又は形状を異ならせるとともに、それに対応させた大きさ、又は形状の取付け孔を前記取付け板に設けることを特徴とする。
【００１７】
請求項５に係る発明は、請求項１から４の何れかに記載の電気器具取付け装置であって、前記取付け板は、空間内の天井部、壁部、又は床部に設けられていることを特徴とする。
【００１８】
本発明による電気器具取付け装置によれば、取付け板を空間内の天井部、壁部、又は床部に設けることにより、照明器具、火災センサ等の各種の電気器具を天井部、壁部、又は床部の取付け板に着脱させることが可能となる。
【発明の効果】
【００１９】
以上、説明したように、本発明の電気器具取付け装置によれば、取付け板の取付け孔内にコネクタのピン部を挿入し、固定手段によりピン部を取付け孔内に挿入された状態に固定することにより、コネクタを取付け板に固定することができ、コネクタを介して電気器具を取付け板に取り付けることができる。また、固定手段によるピン部の固定状態を解除し、ピン部を取付け孔から離脱させることにより、コネクタを取付け板から取り外すことができ、コネクタに取り付けられる電気器具を取付け板から取り外すことができる。
従って、電気器具の取付け板への着脱を容易に行うことができるので、電気器具を取付け板の他の位置に移動する場合に、新たな配線用孔を設けたり、配線用孔から配線を引き出したりする作業が不要となる。さらに、電気器具を取り外した後に取付け孔が残っても、その取付け孔の存在によって美観を損なうようこともない。
また、コネクタを取付け板に取り付けた際に、第１給電部が他方の電極板の表面に電気的に接続され、第２給電部が一方の電極板の表面に電気的に接続されることになるので、第１給電部と他方の電極板との接触面積、及び第２給電部と一方の電極板との接触面積を大きくとることができる。
従って、電気器具の作動に必要な電流を確実に通電することができ、大電流を必要とする電気器具にも十分な電流を確実に通電することが可能となり、各種の電気器具を使用することが可能となる。
【発明を実施するための最良の形態】
【００２０】
以下、図面を参照しながら本発明の実施の形態について説明する。
図１〜図３に示すように、本実施形態の電気器具の取り付け装置は、取付け板とコネクタとを含んで構成されており、図１は取付け板とコネクタとの関係を示す説明図、図２はコネクタを取付け板に取り付けた状態を示す断面図、図３はコネクタと固定手段との関係を示す説明図である。
【００２１】
すなわち、この電気器具取付け装置１は、空間内（例えば、建物、自動車等の空間内、本実施の形態においては建物とする。）の天井部、壁部等に照明器具、火災センサ等の電気器具を着脱自在に取り付けるとともに、この電気器具に電力を供給するのに有効なものであって、図１及び図２に示すように、建物の天井部、壁部等（本実施の形態では天井部）に設けられる取付け板２と、取付け板２に着脱自在に取り付けられるコネクタ１０と、コネクタ１０を取付け板２に固定する固定手段２５とを備えており、コネクタ１０に電気器具３５が取り付けられるようになっている。
【００２２】
取付け板２は、図１に示すように、合成樹脂等の絶縁性を有する材料からなる板状の基板３と、基板３の両面にそれぞれ一体に積層される銅等の導電性を有する材料からなる板状の一方の電極板５及び他方の電極板４（以下、「第１電極板５」、「第２電極板４」という。）とからなる積層板であって、基板３と第１電極板５及び第２電極板４とは接着剤等の接合手段によってそれぞれ一体に接合されている。
【００２３】
取付け板２には、両面間を貫通する取付け孔６が複数箇所に設けられ、各取付け孔６内に後述するコネクタ１０のピン部１５が挿脱可能に構成されている。取付け板２の両電極板４、５は、配線７を介して電源８に接続され、電源８から両電極板４、５間に所定の直流又は交流の電圧が印加されるようになっている。
【００２４】
取付け板２は、天井部の全体に設けてもよいし、天井部の一部に設けてもよい。天井部の全体に設ける場合には、複数枚の取付け板２を組み合わせて天井部の全体を塞ぐようにしてもよい。その場合には、隣接する取付け板２の第１電極板４〜４、第２電極板５〜５間を電気的に接合するか、あるいは各取付け板２の第１電極板４及び第２電極板５をそれぞれ個別に配線７を介して電源８に接続すればよい。
【００２５】
コネクタ１０は、図１〜図３に示すように、照明器具等の電気器具３５が取り付けられる電気器具取付け部１１と、電気器具取付け部１１の上面に一体に立設された１つ又は２つ以上（本実施の形態では２つ）のピン部１５（以下、「第１ピン部１５ａ」、「第２ピン部１５ｂ」という。）とを備えている。
【００２６】
電気器具取付け部１１は、合成樹脂等の絶縁性を有する材料から形成される例えば円板状をなすものであって、上面の第１ピン部１５ａ、及び第２ピン部１５ｂが取付け板２の各取付け孔６内に挿入された状態で取付け板２に取り付けられ、この電気器具取付け部１１の下部に照明器具等の電気器具３５がねじ等の取付け手段によって着脱自在に取り付けられるようになっている。
なお、電気器具取付け部１１は、円板状に限らず、他の形状に形成してもよい。要は、使用する電気器具３５の形状等に応じて適宜の形状に形成すればよい。
【００２７】
第１ピン部１５ａ、及び第２ピン部１５ｂは、図２及び図３に示すように、合成樹脂等の絶縁性を有する材料から形成される円柱状をなすものであって、取付け板２の取付け孔６の内径よりも小径、かつ取付け孔６よりもやや長く形成されている。第１ピン部１５ａ、及び第２ピン部１５ｂは、電気器具取付け部１１と一体に形成してもよいし、電気器具取付け部１１と別体に形成し、適宜の連結手段によって電気器具取付け部１１に一体に連結するように構成してもよい。
【００２８】
なお、第１ピン部１５ａと第２ピン部１５ｂとの径を異なる寸法に形成し、それに応じた大きさの取付け孔６を取付け板２に形成してもよいし、また、第１ピン部１５ａを円柱状に形成し、第２ピン部１５ｂを第１ピン部１５ａと異なる形状（角柱状等）に形成し、第１ピン部１５ａ、及び第２ピン部１５ｂの形状に対応させて取付け板２の取付け孔６を円形状、角形状等に形成してもよい。
【００２９】
電気器具取付け部１１の下面の各ピン部１５に対応する部分には、円形状のガイド穴２１がその中心を後述する固定手段２５のロッド２６の軸線に一致させた状態で設けられ、このガイド穴２１内に固定手段２５の操作部２８が回転自在に設けられている。
【００３０】
コネクタ１０の各ピン部１５ａ、１５ｂの中心から偏心した位置には、各ピン部１５ａ、１５ｂ及び電気器具取付け部１１を軸線方向に貫通し、下端がガイド穴２１の底面の中心部に開口するロッド支持孔１６が設けられ、このロッド支持孔１６内を固定手段２５のロッド２６が回転自在に挿通している。
【００３１】
コネクタ１０の電気器具取付け部１１には、一端が後述する第１給電部１７ａに電気的に接続され、他端が電気器具取付け部１１の下部に配置される端子１２に電気的に接続される配線２０と、一端が後述する第２給電部１７ｂに電気的に接続され、他端が電気器具取付け部１１の下部に配置される端子１２に電気的に接続される配線２０とが設けられ、これらの端子１２、１２に電気器具取付け部１１に取り付けられる電気器具３５が電気的に接続されるようになっている。
【００３２】
固定手段２５は、図２及び図３に示すように、各ピン部１５ａ、１５ｂ及び電気器具取付け部１１を貫通するロッド支持孔１６内を挿通して、上下端が各ピン部１５ａ、１５ｂ及び電気器具取付け部１１のガイド穴２１の底面から所定量突出する回転可能な導電体からなるロッド２６と、このロッド２６の各ピン部１５ａ、１５ｂから突出している上端に一体に設けられる円板状の固定部２７と、このロッド２６の電気器具取付け部１１のガイド穴２１の底面から突出している下端に一体に設けられるとともに、ガイド穴２１内に回転可能に設けられる操作部２８とを備え、操作部２８をガイド穴２１内で回転させることにより、ロッド２６を介して固定部２７が回転するように構成されている。
【００３３】
固定部２７は、各ピン部１５ａ、１５ｂの上端と略同一径の円板状に形成され、各ピン部１５ａ、１５ｂの上端面と重合した状態で偏心した位置にロッド２６の上端が一体に連結され、操作部２８を回転させてロッド２６を回転させることによりロッド２６と一体に固定部２７が回転し、固定部２７が各ピン部１５ａ、１５ｂの上端面に重合した位置と上端面から外径側にせり出した位置との間を移動するように構成されている。
【００３４】
操作部２８は、ガイド穴２１の内径よりも小さい円板状をなすものであって、その中心部にロッド２６の下端が一体に連結されている。操作部２８の下端面の中心部には例えば六角穴（図示せず）が設けられ、この六角穴内に六角レンチを挿入し、六角レンチを操作することにより操作部２８をガイド穴２１内で回転させることができる。
【００３５】
なお、操作部２８の下端面に板状等の摘み部を一体に設け、この摘み部を摘むことにより操作部２８を回転させるように構成してもよい。
また、操作部２８の周面のロックばねを一体に設けるとともに、このロックばねが係合可能なロック溝をガイド穴２１の内面に設け、ロックばねをロック溝内に係合させることで、操作部２８をガイド穴２１内に固定するように構成してもよい。
【００３６】
操作部２８を回転させてロッド２６と一体に固定部２７を回転させ、固定部２７を各ピン部１５ａ、１５ｂの上端面から外径側にせり出させ、固定部２７を取付け板２の第２電極板４の表面４ａに係止させることにより、各ピン部１５ａ、１５ｂが取付け板２の取付け孔６内に挿入された状態に固定される。
【００３７】
第１ピン部１５ａの固定手段２５ａの固定部２７の下面には、導電性を有する材料からなる第１給電部１７ａが一体に設けられるとともに、この固定手段２５ａの操作部２８の上面には、導電性を有する材料からなる第１給電部１７ａ´が一体に設けられ、上側の第１給電部１７ａと下側の第１給電部１７ａ´とは、導電体からなるロッド２６を介して電気的に相互に接続されている。
【００３８】
下側の第１給電部１７ａ´に対向するガイド穴２１の底面には導電板２１ａが設けられ、この導電板２１ａに下側の第１給電部１７ａ´が電気的に摺動可能に接触している。また、導電体２１ａには、電気器具取付け部１１に設けられている配線２０の一端が電気的に接続され、この配線２０の他端は電気器具取付け部１１の下部に設けられている端子１２に電気的に接続されている。これにより、第２電極板４が上側の第１給電部１７ａ、ロッド２６、下側の第１給電部１７ａ´、導電板２１ａ、及び配線２０を介して電気器具取付け部１１の下部の端子１２に電気的に接続されている。
【００３９】
なお、第２ピン部１５ｂの固定手段２５ｂの固定部２７の下面、及び操作部２８の上面には給電部は設けられていない。
【００４０】
電気器具取付け部１１の上面の各ピン部１５ａ、１５ｂの周囲には、各ピン部１５ａ、１５ｂを包囲するように所定の幅、深さの環状の溝１９が設けられ、第２ピン部１５ｂの周囲の溝１９内に第２給電部１７ｂが設けられ、第１ピン部１５ａの周囲の溝１９内に付勢手段２３が設けられている。
なお、溝１９は、環状に限らず他の形状でもよい。要は、第２給電部１７ｂ、付勢手段２３を収納可能な形状であればよい。
【００４１】
第２給電部１７ｂは、銅等の導電性を有する材料からなる弾性を有する湾曲板状の弾性導電部材１８を複数組み合わせて構成したものであって、各弾性導電部材１８は、第２ピン部１５ｂの周囲の溝１９内にそれぞれ嵌合されている。この場合、各弾性導電部材１８は、湾曲部分の頂部が電気器具取り付け部１１の上面よりも上方に突出し、溝１９の内部方向へ弾性変形可能となるように構成されている。
【００４２】
各ピン部１５ａ、１５ｂを取付け孔６内に挿入し、各ピン部１５ａ、１５ｂを固定手段２５ａ、２５ｂによって取付け孔６内に挿入した状態に固定することにより、第２給電部１７の各弾性導電部材１８が溝１９の内部方向へ弾性変形し、このときの弾性力によって各弾性導電部材１８が第１電極板５の表面５ａに強く圧接され、第２給電部１７ｂの各弾性導電部材１８と第１電極板５とが電気的に確実に接続される。
【００４３】
なお、第２給電部１７ｂは、上記の構成のものに限らず、第１電極板５の表面５ａに強く圧接されて、第１電極板５と電気的に確実に接続できる構成のものであればよく、例えば、圧縮ばねと導電部材とを組み合わせて、圧縮ばねの付勢力により導電部材を第１電極板５の表面５ａに圧接するようにしてもよい。
【００４４】
第２給電部１７ｂには、電気器具取付け部１１に設けられている配線２０の一端が電気的に接続され、この配線２０の他端は電気器具取付け部１１の下部に設けられている端子１２に電気的に接続されている。
【００４５】
付勢手段２３は、第２給電部１７ｂの弾性導電性部材１８と同一形状、及び同一弾性を有する湾曲板状の板ばね２４を複数組み合わせて構成したものであって、各板ばね２４は第１ピン部１５ａの周囲の溝１９内にそれぞれ嵌合されている。この場合、各板ばね２４は、湾曲部分の頂部が電気器具取付け部１１の上面よりも上方に突出し、溝１９の内部方向へ弾性変形可能となるように構成されている。
【００４６】
各ピン部１５ａ、１５ｂを取付け孔６内に挿入し、各ピン部１５１５ａ、１５ｂを固定手段２５ａ、２５ｂによって取付け孔６内に挿入した状態に固定することにより、付勢手段２３の各板ばね２４が第１ピン部１５ａの周囲の溝１９の内部方向へ弾性変形し、このときの弾性力によって各板ばね２４が第１電極板５の表面５ａに強く圧接される。これにより、上側の第１給電部１７ａが第２電極板４の表面４ａに強く圧接されるとともに、付勢手段２３の付勢力と第２給電部１７ｂの付勢力との協働により、電気器具取付け部１１を取付け板２の下部にガタが生じることなく、かつバランス良く確実に取り付けることができる。
【００４７】
次に、上記のように構成した本実施の形態による電気器具取付け装置１の作用について説明する。
まず、照明器具等の電気器具３５を天井部に取り付けるには、図１及び図２に示すように、コネクタ１０を天井部に予め設けられている取付け板２の所定の位置の下方に配置し、その位置で取付け孔２内に各ピン部１５ａ、１５ｂを挿入し、各固定手段２５ａ、２５ｂの各操作部２８を回転させてロッド２６を介して各固定部２７を回転させ、各固定部２７を第２電極板４の表面４ａに係止させる。
【００４８】
これにより、固定手段２５ａの固定部２７の下面側の第１給電部１７ａが第２電極板４の表面４ａに電気的に接続され、電気器具取付け部１１の上面側の溝１９内の第２給電部１７ｂが第１電極板５の表面５ａに電気的に接続され、第２電極板４が第１給電部１７ａ、ロッド２６、第１給電部１７ａ´、導電板２１ａ、及び配線２０を介して電気器具取付け部１１の下面側の端子１２に電気的に接続され、第１電極板５が第２給電部１７ｂ及び配線２０を介して電気器具取付け部１１の下面側の端子１２に電気的に接続される。
【００４９】
そして、電気器具取付け部１１の下部にねじ等の取付け手段によって照明器具等の電気器具３５を取り付け、電気器具３５の電源を電気器具取付け部１１の下部の端子１２に電気的に接続する。
【００５０】
このようにして、天井部の取付け板２に照明器具等の電気器具３５を取り付けることができ、電源８から取付け板２の第２電極板４と第１電極板５との間に電圧を印加することにより、第２電極板４から第１給電部１７ａ、ロッド２６、第１給電部１７ａ´、導電板２１ａ、配線２０、及び端子１２を介して、第１電極板５から第２給電部１７ｂ、配線２０、及び端子１２を介して、照明器具等の電気器具３５に電力が供給され、照明器具等の電気器具３５を作動させることができる。
【００５１】
次に、建物内のレイアウトの変更等によって電気器具３５を天井部の他の位置に移動させる場合には、コネクタ１０から電気器具３５を取り外し、この状態で各固定手段２５
の操作部２８を回転させてロッド２６を介して固定部２７を回転させ、固定部２７を第２電極板４の表面４ａからピン部１５の上端面と重合する位置に移動させる。
【００５２】
そして、この状態で各ピン部１５を各取付け孔６から離脱させることによってコネクタ１０を取付け板２から取り外す。その後は上述した取り付け手順によってコネクタ１０を取付け板２に取り付ける。
【００５３】
上記のように構成した本実施形態による電気器具取付け装置１にあっては、建物の天井部に設けた取付け板２の取付け孔６を利用してコネクタ１０を取付け板２に着脱させることにより、コネクタ１０を介して天井部の所定の位置に照明器具等の電気器具３５を着脱させることができるので、照明器具等の電気器具３５の天井部への着脱を容易に行うことができる。
【００５４】
また、天井部に取り付けた照明器具等の電気器具３５を他の位置に移動させる場合にも、他の位置の取付け孔６を利用してコネクタ１０を取付け板２に着脱させることにより、その位置にコネクタ１０を介して照明器具等の電気器具３５を着脱させることができることになる。
【００５５】
この場合、取付け板２の複数の取付け孔６によって意匠的な効果を醸し出しているので、照明器具等の電気器具３５を取り外した後の取付け孔６によって美観を損なうようなことはなく、また、取付け孔６を塞ぐ作業も不要となる。また、照明器具等の電気器具３５を移動させる位置に新たに配線用孔を設け、その配線用孔から天井裏の配線を引き出したりする作業も不要となるので、照明器具等の電気器具３５の移動に要する手間を大幅に削減することができる。
【００５６】
さらに、第１給電部１７ａと第２電極板４との接触面積、及び第２給電部１７ｂと第１電極板５との接触面積を大きくとることができるので、大電流を流すことが可能となり、大電流を必要とする電気器具３５にも充分な電流を通電することが可能となり、各種の電気器具３５に対応することが可能となる。
【００５７】
図４及び図５には、本発明による電気器具取付け装置の他の実施の形態が示されている。この実施の形態に示す電気器具取付け装置１は、電気器具取付け部１１の上面の第２ピン部１５ｂの周囲に、弾性を有していない導電体から円環板状の第２給電部１７ｂを一体に設け、この第２給電部１７ｂを第１電極板５の表面５ａに電気的に接続し、さらに、第１ピン部１５ａの周囲の付勢手段２３を省略したものであって、その他の構成は前記実施の形態に示すものと同様である。
【００５８】
そして、本実施の形態に示す電気器具取付け装置１にあっても、前記実施の形態に示す電気器具取付け装置１と同様の作用効果を奏する。
【００５９】
なお、前記の説明においては、電気器具３５として比較的重量のある照明器具等を例にとって説明したが、ＬＥＤを配置した照明器具のように軽量の照明器具等を電気器具としてもよいものであり、その場合には、電気器具を電気器具取付け部として、電気器具にピン部を一体に設けてもよい。
【００６０】
また、前記の説明においては、電気器具取付け部１１に２つのピン部１５ａ、１５ｂを設けたが、電気器具取付け部１１に１つ又は３つ以上のピン部１５を設けてもよい。１つのピン部１５を設ける場合には、その１つのピン部１５の固定手段２５の固定部２７及び操作部２８に第１給電部１７ａ、１７ａ´を設け、ピン部１５の周囲に溝１９を設け、その溝１９内に弾性導電性部材１８からなる第２給電部１７ｂを設ければよい。また、３つ以上のピン部１５を設ける場合には、その一部のピン部１５を前述した第１ピン部１５ａのように構成し、他の一部のピン部１５を前述した第２ピン部１５ｂのように構成すればよい。
【００６１】
また、前記の説明においては、本実施の形態による電気器具取付け装置１を建物の天井部に適用した場合について説明したが、建物の壁部、床部等に照明器具や火災センサ等の電気器具を取り付ける場合に適用することもできる。
さらに、自動車等の天井部等に電気器具を取り付ける場合にも適用することができ、その他の各種の空間の天井部等に電気器具を取り付ける場合にも適用可能である。
さらに、例えば、各種の作業テーブルの天板などを上記実施形態の取付け板２の構成とし、電気器具を着脱可能な作業テーブルとしてもよい。
【図面の簡単な説明】
【００６２】
【図１】本発明による電気器具の取付け装置の一実施の形態を示した説明図であって、取付け板とコネクタとの関係を示した説明図である。
【図２】コネクタを取付け板に取り付けた状態を示した断面図である。
【図３】コネクタと固定手段との関係を示した説明図である。
【図４】本発明による電気器具取付け装置の他の実施形態を示した断面図である。
【図５】コネクタと固定手段との関係を示した他の実施の形態の説明図である。
【符号の説明】
【００６３】
１  電気器具取付け装置                ２  取付け板
３  基板                              ４  他方の電極板（第２電極板）
４ａ  表面                            ５  一方の電極板（第１電極板）
５ａ  表面                            ６  取付け孔
７  配線                              ８  電源
１０  コネクタ                        １１  電気器具取付け部
１２  端子                            １５  ピン部
１５ａ  一方のピン部（第１ピン部）    １５ｂ  他方のピン部（第２ピン部）
１６  ロッド支持孔                    １７  給電部
１７ａ、１７ａ´  第１給電部          １７ｂ  第２給電部
１８  弾性導電部材                    １９  溝
２０  配線                            ２１  ガイド穴
２１ａ  導電板                        ２３  付勢手段
２４  板ばね                          ２５  固定手段
２５ａ  固定手段                      ２５ｂ  固定手段
２６  ロッド                          ２７  固定部
２８  操作部                          ３５  電気器具
【図１】
0005003388.tif 000002
【図２】
0005003388.tif 000003
【図３】
0005003388.tif 000004
【図４】
0005003388.tif 000005
【図５】
0005003388.tif 000006